(57)【要約】移動局がVPLMNに接続する場合にIMS経由の音声通信に失敗することを回避できる移動通信システム、通信制御装置、移動管理エンティティ及び移動通信方法を提供する。HSS100は、VPLMNにおいてIMS500経由による音声通信のローミングがサポートされているか否かを判定し、当該ローミングがサポートされているか否かを示すインジケータであるvoice supportedまたはvoice not supportedを含む信号をMME300に送信する。MME300は、HSS100から当該インジケータを受信しUE20からのVPLMNへのAttach Requestに対するAttach AcceptをUE20に送信する。MME300は、HSS100から受信したインジケータに基づいて、ローミングがサポートされているか否かを示すインジケータを含むAttach AcceptをUE20に送信する。
2016185962.tif 000002
【特許請求の範囲】
【請求項１】
移動局のホームネットワークに設けられる通信制御装置と、
前記移動局の在圏ネットワークに設けられる移動管理エンティティと、
音声通信用のパケットを処理するマルチメディアサブシステムと
を含む移動通信システムであって、
前記通信制御装置は、
前記在圏ネットワークにおいて前記マルチメディアサブシステム経由による音声通信のローミングがサポートされているか否かを判定するローミング判定部と、
前記ローミング判定部による前記ローミングの判定結果に基づいて、前記ローミングがサポートされているか否かを示す第１サポート指示子を含む信号を前記移動管理エンティティに送信する指示子送信部と
を備え、
前記移動管理エンティティは、
前記通信制御装置から前記第１サポート指示子を受信する指示子受信部と、
前記移動局からの前記在圏ネットワークへの接続要求に対する応答を前記移動局に送信する応答送信部と
を備え、
前記応答送信部は、前記指示子受信部が受信した前記第１サポート指示子に基づいて、前記ローミングがサポートされているか否かを示す第２サポート指示子を含む前記応答を前記移動局に送信する移動通信システム。
【請求項２】
前記ローミング判定部は、前記ホームネットワークと前記在圏ネットワークとの間における前記音声通信のローミング協定の有無に基づいて、前記ローミングがサポートされているか否かを判定する請求項１に記載の移動通信システム。
【請求項３】
前記ローミング判定部は、前記移動局の種別に基づいて、前記ローミングがサポートされているか否かを判定する請求項１または２に記載の移動通信システム。
【請求項４】
前記ローミング判定部は、前記移動局のユーザの種別に基づいて、前記ローミングがサポートされているか否かを判定する請求項１乃至３の何れか一項に記載の移動通信システム。
【請求項５】
移動局の在圏ネットワークに設けられる移動管理エンティティと、
音声通信用のパケットを処理するマルチメディアサブシステムと
を含む移動通信システムにおいて用いられ、前記移動局のホームネットワークに設けられる通信制御装置であって、
前記在圏ネットワークにおいて前記マルチメディアサブシステム経由による音声通信のローミングがサポートされているか否かを判定するローミング判定部と、
前記ローミング判定部による前記ローミングの判定結果に基づいて、前記ローミングがサポートされているか否かを示す第１サポート指示子を含む信号を前記移動管理エンティティまたは前記移動局に送信する指示子送信部と
を備える通信制御装置。
【請求項６】
移動局のホームネットワークに設けられる通信制御装置と、
音声通信用のパケットを処理するマルチメディアサブシステムと
を含む移動通信システムにおいて用いられ、前記移動局の在圏ネットワークに設けられる移動管理エンティティであって、
前記通信制御装置から、記在圏ネットワークにおいて前記マルチメディアサブシステム経由による音声通信のローミングがサポートされているか否かを示す第１サポート指示子を受信する指示子受信部と、
前記移動局からの前記在圏ネットワークへの接続要求に対する応答を前記移動局に送信する応答送信部と
を備え、
前記応答送信部は、前記指示子受信部が受信した前記第１サポート指示子に基づいて、前記ローミングがサポートされているか否かを示す第２サポート指示子を含む前記応答を前記移動局に送信する移動管理エンティティ。
【請求項７】
移動局のホームネットワークに設けられる通信制御装置と、
前記移動局の在圏ネットワークに設けられる移動管理エンティティと、
音声通信用のパケットを処理するマルチメディアサブシステムと
を含む移動通信システムにおける移動通信方法であって、
前記通信制御装置が、前記在圏ネットワークにおいて前記マルチメディアサブシステム経由による音声通信のローミングがサポートされているか否かを示す第１サポート指示子を含む信号を前記移動管理エンティティに送信するステップと、
前記移動管理エンティティが、前記通信制御装置から前記第１サポート指示子を受信するステップと、
前記移動管理エンティティが、前記移動局からの前記在圏ネットワークへの接続要求に対する応答を前記移動局に送信するステップと
を備え、
前記応答を前記移動局に送信するステップでは、前記移動管理エンティティが、受信した前記第１サポート指示子に基づいて、前記ローミングがサポートされているか否かを示す第２サポート指示子を含む前記応答を前記移動局に送信する移動通信方法。
【発明の詳細な説明】
【技術分野】
【０００１】
本発明は、移動通信システム、通信制御装置、移動管理エンティティ及び移動通信方法に関し、特に、移動局の在圏ネットワークにおける音声通信のローミング制御に関する。
【背景技術】
【０００２】
3rd Generation Partnership Project（3GPP）によって規定されるLong Term Evolution（LTE）では、音声通信をIPマルチメディアサブシステム（IMS）と呼ばれるパケット交換（PS）ドメイン経由で実現する、いわゆるVoice over LTE（VoLTE）を提供することができる。【０００３】
VoLTEに対応したスマートフォンなどの移動局は、移動管理エンティティ（MME）から通知される”IMS voice over PS Session Supported Indication”の内容に基づいて、VoLTEによる音声通信を実行するか、或いは3G（UTRAN）の回線交換（CS）ドメインにフォールバック（CSFB）して音声通信を実行するかを決定する（例えば、非特許文献１参照）。【０００４】
具体的には、IMS voice over PS Session Supported Indicationによって、IMS経由の音声通信のサポート（voice supported）が示されている場合、移動局はVoLTEを実行する。
【先行技術文献】
【非特許文献】
【０００５】
【非特許文献１】3GPP TS 23.401 V12.6.0 Subclause 4.3.5.8 IMS voice over PS Session Supported Indication, 3rd Generation Partnership Project; Technical Specification Group Services and System Aspects; General Packet Radio Service (GPRS) enhancements for  Evolved Universal Terrestrial Radio Access Network (E-UTRAN) access (Release 12)、3GPP、2014年9月
【発明の概要】
【０００６】
移動局は、当該移動局に対してサービス契約を有するオペレータが運用するホームネットワーク（Home Public Land Mobile Network（HPLMN））だけでなく、他のオペレータが運用する在圏ネットワーク（Visited Public Land Mobile Network（VPLMN））にも接続することができる。
【０００７】
移動局がVPLMNに接続する場合、移動局は、HPLMNのMMEではなく、VPLMNのMMEから通知されるIMS voice over PS Session Supported Indicationに基づいて、上述した音声通信の可否を判定する。このような場合、VPLMNのMMEは、HPLMNのオペレータと、VPLMNのオペレータとのローミング協定、具体的には、VoLTEのローミング協定に有無に基づいて、IMS経由の音声通信が当該VPLMNにおいてサポートされているか否かを通知する。
【０００８】
しかしながら、VoLTEのローミング協定に有無と関係なく、一律にIMS経由の音声通信がサポートされることを通知するVPLMN（オペレータ）が存在する。このため、例えば、LTE自体のローミング協定は存在するものの、VoLTEのローミング協定が存在しない場合、移動局は、VPLMNに対して接続要求（Attach Request）は可能なものの、IMS経由の音声通信に失敗するため、発信することができない。
【０００９】
そこで、本発明は、このような状況に鑑みてなされたものであり、移動局がVPLMNに接続する場合にIMS経由の音声通信に失敗することを回避できる移動通信システム、通信制御装置、移動管理エンティティ及び移動通信方法の提供を目的とする。
【００１０】
本発明の一態様に係る移動通信システムは、移動局のホームネットワークに設けられる通信制御装置と、移動局の在圏ネットワークに設けられる移動管理エンティティと、音声通信用のパケットを処理するマルチメディアサブシステムとを含む。
【００１１】
通信制御装置は、在圏ネットワークにおいてマルチメディアサブシステム経由による音声通信のローミングがサポートされているか否かを判定するローミング判定部と、ローミング判定部によるローミングの判定結果に基づいて、ローミングがサポートされているか否かを示す第１サポート指示子を含む信号を移動管理エンティティに送信する指示子送信部とを備える。
【００１２】
移動管理エンティティは、通信制御装置から第１サポート指示子を受信する指示子受信部と、移動局からの在圏ネットワークへの接続要求に対する応答を移動局に送信する応答送信部とを備える。応答送信部は、指示子受信部が受信した第１サポート指示子に基づいて、ローミングがサポートされているか否かを示す第２サポート指示子を含む応答を移動局に送信する。
【００１３】
本発明の一態様に係る通信制御装置は、移動局の在圏ネットワークに設けられる移動管理エンティティと、音声通信用のパケットを処理するマルチメディアサブシステムとを含む移動通信システムにおいて用いられ、移動局のホームネットワークに設けられる。
【００１４】
当該通信制御装置は、在圏ネットワークにおいてマルチメディアサブシステム経由による音声通信のローミングがサポートされているか否かを判定するローミング判定部と、ローミング判定部によるローミングの判定結果に基づいて、ローミングがサポートされているか否かを示す第１サポート指示子を含む信号を移動管理エンティティまたは前記移動局に送信する指示子送信部とを備える。
【００１５】
本発明の一態様に係る移動管理エンティティは、移動局のホームネットワークに設けられる通信制御装置と、音声通信用のパケットを処理するマルチメディアサブシステムとを含む移動通信システムにおいて用いられ、移動局の在圏ネットワークに設けられる移動管理エンティティであって、通信制御装置から、記在圏ネットワークにおいてマルチメディアサブシステム経由による音声通信のローミングがサポートされているか否かを示す第１サポート指示子を受信する指示子受信部と、移動局からの在圏ネットワークへの接続要求に対する応答を移動局に送信する応答送信部とを備える。応答送信部は、指示子受信部が受信した第１サポート指示子に基づいて、ローミングがサポートされているか否かを示す第２サポート指示子を含む応答を移動局に送信する。
【００１６】
本発明の一態様に係る移動通信方法は、移動局のホームネットワークに設けられる通信制御装置と、移動局の在圏ネットワークに設けられる移動管理エンティティと、
音声通信用のパケットを処理するマルチメディアサブシステムとを含む移動通信システムにおいて用いられる。
【００１７】
当該移動通信方法は、通信制御装置が、在圏ネットワークにおいてマルチメディアサブシステム経由による音声通信のローミングがサポートされているか否かを示す第１サポート指示子を含む信号を移動管理エンティティに送信するステップと、移動管理エンティティが、通信制御装置から第１サポート指示子を受信するステップと、移動管理エンティティが、移動局からの在圏ネットワークへの接続要求に対する応答を移動局に送信するステップとを備える。応答を移動局に送信するステップでは、移動管理エンティティが、受信した第１サポート指示子に基づいて、ローミングがサポートされているか否かを示す第２サポート指示子を含む応答を移動局に送信する。
【図面の簡単な説明】
【００１８】
【図１】図１は、移動通信システム10の全体概略構成図である。
【図２】図２は、第１実施形態に係るHSS100の機能ブロック構成図である。
【図３】図３は、第１実施形態に係るMME300の機能ブロック構成図である。
【図４】図４は、第１実施形態に係るUE20に対してローミングがサポートされているか否かを示すインジケータを通知する動作シーケンスを示す図である。
【図５】図５は、第１実施形態に係るUE20に対してローミングがサポートされているか否かを示すインジケータを通知する動作の説明図である。
【図６】図６は、第１実施形態に係るHSS100の動作フローを示す図である。
【図７】図７は、第１実施形態に係るMME300の動作フローを示す図である。
【図８】図８は、第２実施形態に係るUE20に対してローミングがサポートされているか否かを示すインジケータを通知する動作の説明図である。
【図９】図９は、第２実施形態に係るPGW200の機能ブロック構成図である。
【図１０】図１０は、第３実施形態に係るUE20に対してローミングがサポートされているか否かを示すインジケータを通知する動作の説明図である。
【図１１】図１１は、第３実施形態に係るSIPサーバ510の機能ブロック構成図である。
【発明を実施するための形態】
【００１９】
以下、実施形態を図面に基づいて説明する。なお、同一の機能や構成には、同一または類似の符号を付して、その説明を適宜省略する。
【００２０】
［第１実施形態］
まず、本発明の第１実施形態について、図１〜図７を参照して説明する。本実施形態では、EMM（EPS Mobility Management）レイヤにおける制御（Attach）を例として説明する。
【００２１】
（１）移動通信システムの全体概略構成
図１は、本実施形態に係る移動通信システム10の全体概略構成図である。図１に示すように、移動通信システム10は、移動局20（以下、User Equipment 20（UE20））、具体的には、Home Public Land Mobile Network（HPLMN）に設けられるHome Subscriber Server 100（以下、HSS100）及びPDN Gateway 200（以下、PGW200）を含む。
【００２２】
また、移動通信システム10は、UE20の在圏ネットワーク、具体的には、Visited Public Land Mobile Network（VPLMN）に設けられる移動管理エンティティ300（以下、MME300）及びServing Gateway 400（以下、SGW400）を含む。
【００２３】
PGW200は、SGiインタフェースを介してIPマルチデバイスサブシステム500（以下、IMS500）と接続されている。なお、IMS500は、他のインタフェースを介してVPLMNに設けられる装置と接続されていてもよい。
【００２４】
UE20は、Long Term Evolution（LTE）の無線アクセスネットワークであるE-UTRAN、及び3Gの無線アクセスネットワークであるUTRANに無線接続が可能である。UE20は、E-UTRANを介してMME300やSGW400と通信を実行することができる。また、UE20は、UTRANを介してMobile Switching Center 30（以下、MSC30）と通信を実行することができる。
【００２５】
MSC30は、回線交換サービス用の交換機であり、回線交換ドメイン40（以下、CSドメイン40）と接続されている。
【００２６】
HSS100は、移動通信システム10、具体的には、HPLMNのオペレータ（通信事業者）への加入者情報のデータベースであり、加入者（移動局）認証情報及び在圏情報を管理する。
【００２７】
PGW200は、UE20とIMS500などのネットワークとの接続を実現する機能を提供する。MME300は、UE20のVPLMNに設けられ、UE20のVPLMNにおける移動を制御する。SGW400は、LTEネットワークにおけるパケット交換機であり、PGW200とユーザデータの送受信を行う。
【００２８】
IMS500は、IPをベースとしたマルチメディアサブシステムであり、音声通信（緊急呼を含む）用のパケットを処理することができる。
【００２９】
（２）移動通信システムの機能ブロック構成
次に、移動通信システム10に含まれるHSS100及びMME300の機能ブロック構成について説明する。
【００３０】
（２．１）HSS100
図２は、HSS100の機能ブロック構成図である。図２に示すように、HSS100は、Dia_ULR受信部110、ローミング判定部120、在圏ネットワークDB131、移動局種別DB133、加入者種別DB135及びDia_ULA送信部140を備える。なお、各機能ブロックは、プロセッサ（メモリを含む）、機能モジュール（ネットワークIFなど）及び電源などのハードウェア要素によって実現される。
【００３１】
HSS100は、本実施形態において、移動局のホームネットワークに設けられる通信制御装置を構成する。
【００３２】
Dia_ULR受信部110は、Diameterプロトコルに従ったDia_ULRをMME300から受信する。
【００３３】
ローミング判定部120は、Dia_ULR受信部110が受信したDia_ULRに応じて、UE20のVPLMNでのローミング可否について判定する。具体的には、ローミング判定部120は、VPLMNにおいてIMS500経由による音声通信（Voice over LTE、以下VoLTE）のローミングがサポートされているか否かを判定する。すなわち、ローミング判定部120は、UE20がVPLMNにおいてVoLTEを実行できるか否かを判定する。
【００３４】
ローミング判定部120は、在圏ネットワークDB131、移動局種別DB133及び加入者種別DB135を参照し、当該ローミングがサポートされているか否かを判定する。
【００３５】
具体的には、ローミング判定部120は、在圏ネットワークDB131を参照し、HPLMNとVPLMNとの間におけるVoLTEのローミング協定の有無に基づいて、当該ローミングがサポートされているか否かを判定することができる。
【００３６】
また、ローミング判定部120は、移動局種別DB133を参照し、移動局の種別に基づいて、当該ローミングがサポートされているか否かを判定することもできる。なお、移動局の種別とは、VoLTE機能をサポートしている移動局の形式や、当該種別の移動局とVPLMNとの接続互換性などである。
【００３７】
さらに、ローミング判定部120は、加入者種別DB135を参照し、移動局のユーザの種別に基づいて、当該ローミングがサポートされているか否かを判定することもできる。なお、移動局のユーザ種別（加入者種別）とは、HPLMNのオペレータとの契約種別などであり、VoLTEの利用可否や、契約データ通信量などが含まれる。
【００３８】
Dia_ULA送信部140は、Diameterプロトコルに従ったDia_ULAをMME300に送信する。具体的には、Dia_ULA送信部140は、ローミング判定部120によるローミングの判定結果に基づいて、ローミングがサポートされているか否かを示す第１サポート指示子を含む信号を移動管理エンティティに送信する。本実施形態において、Dia_ULA送信部140は、指示子送信部を構成する。
【００３９】
より具体的には、Dia_ULA送信部140は、当該ローミングがサポートされている場合、当該ローミングがサポートされていることを示すインジケータであるvoice supportedを含むDia_ULAを送信する。一方、Dia_ULA送信部140は、当該ローミングがサポートされていない場合、当該ローミングがサポートされていないことを示すインジケータであるvoice not supportedを含むDia_ULAを送信する。
【００４０】
なお、このようなインジケータは、既存の3GPP TSでは規定されておらず、新規に規定される。
【００４１】
（２．２）MME300
図３は、MME300の機能ブロック構成図である。図３に示すように、MME300は、Attach Request受信部310、Dia_ULR送信部320、Dia_ULA受信部330、インジケータ処理部340、ローミング情報DB350及びAttach Accept送信部360を備える。なお、各機能ブロックは、プロセッサ（メモリを含む）、機能モジュール（ネットワークIFなど）及び電源などのハードウェア要素によって実現される。
【００４２】
Attach Request受信部310は、VPLMNに対する接続要求であるAttach RequestをUE20から受信する。
【００４３】
Dia_ULR送信部320は、Attach Request受信部310が受信したAttach Requestに応じて、Diameterプロトコルに従ったDia_ULRをHSS100に送信する。
【００４４】
Dia_ULA受信部330は、HSS100によって送信されたDia_ULAを受信する。本実施形態において、Dia_ULA受信部330は、通信制御装置から第１サポート指示子を受信する指示子受信部を構成する。
【００４５】
インジケータ処理部340は、Dia_ULA受信部330が受信したDia_ULAに含まれているインジケータ（voice supportedまたはvoice not supported）に基づく処理を実行する。具体的には、インジケータ処理部340は、Dia_ULAに含まれているインジケータの種別に基づいて、Attach Acceptに含めるインジケータの種別（voice supportedまたはvoice not supported）を決定する。
【００４６】
また、インジケータ処理部340は、Dia_ULA受信部330が受信したDia_ULAに当該インジケータが含まれていない場合、ローミング情報DB350を参照し、Attach Acceptに含めるインジケータの種別（voice supportedまたはvoice not supported）を決定する。具体的には、インジケータ処理部340は、Attach Requestを送信したUE20のVPLMNへのローミングがサポートされていることがローミング情報DB350によって示されている場合、Attach Acceptにvoice supportedを含めることを決定する。
【００４７】
なお、当該インジケータ（voice supported及びvoice not supported）は、上述したように、3GPP TS23.401（Subclause 4.3.5.8）において規定されている。
【００４８】
Attach Accept送信部360は、UE20から受信したAttach Requestに対する応答であるAttach AcceptをUE20に送信する。Attach Acceptを受信したUE20は、VPLMNにおいてE-UTRANとの接続を実行する。
【００４９】
本実施形態において、Attach Accept送信部360は、移動局からの在圏ネットワークへの接続要求に対する応答を移動局に送信する応答送信部を構成する。
【００５０】
Attach Accept送信部360は、Dia_ULA受信部330が受信したインジケータ（第１サポート指示子）に基づいて、ローミングがサポートされているか否かを示すインジケータ（第２サポート指示子）を含むAttach AcceptをUE20に送信する。
【００５１】
具体的には、Attach Accept送信部360は、インジケータ処理部340から指示されたvoice supportedまたはvoice not supportedを含むAttach AcceptをUE20に送信する。
【００５２】
（３）移動通信システムの動作
次に、上述した移動通信システム10の動作について説明する。具体的には、VPLMNに在圏するUE20に対して、音声通信（VoLTE）のローミングがサポートされているか否かを、HPLMNに設けられたHSS100と連携して指示する動作について説明する。
【００５３】
（３．１）動作シーケンス
図４は、UE20に対してローミングがサポートされているか否かを示すインジケータを通知する動作シーケンスを示す。また、図５は、UE20に対してローミングがサポートされているか否かを示すインジケータを通知する動作の説明図である。
【００５４】
図４及び図５に示すように、UE20は、VPLMNにおいてE-UTRANに接続するため、Attach RequestをMME300に送信する（図４のS10、以下同）。Attach Requestを受信したMME300は、Dia_ULRをHSS100に送信する（S20）。
【００５５】
HSS100は、受信したDia_ULRに基づいて、VPLMNにおけるVoLTEローミングの可否を判定する（S30）。
【００５６】
HSS100は、当該ローミングの判定結果に基づいて、voice supportedまたはvoice not supportedを含むDia_ULAをMME300に返送する（S40）。
【００５７】
MME300は、Dia_ULAに含まれるインジケータの種別に基づいて、Attach Acceptに含めるインジケータの種別（voice supportedまたはvoice not supported）を決定する（S50）。
【００５８】
MME300は、決定したインジケータを含むAttach AcceptをUE20に返送する（S60）。
【００５９】
図５では、上述したS10〜S60の動作が概念的に示されている。図５では、HSS100によってVoLTEローミングが不可と判定され、voice not supportedが指示された場合の例が示されている。
【００６０】
voice not supportedを含むAttach Acceptを受信したUE20は、VPLMNのE-UTRAN（LTE）を介したVoLTEが不可能なことを認識し、UTRAN（3G CS）にフォールバック（CSFB）を実行する。この結果、UE20は、回線交換ドメインに接続し、MSC30に音声呼の発信を行う。
【００６１】
（３．２）装置動作フロー
次に、上述した動作シーケンスに基づく動作を実行する場合における装置の動作について説明する。具体的には、HPLMNに設けられるHSS100の動作フロー、及びVPLMNに設けられるMME300の動作フローについて説明する。
【００６２】
（３．２．１）HSS100の動作フロー
図６は、HPLMNに設けられるHSS100の動作フローを示す。図６に示すように、HSS100は、MME300からDia_ULRを受信すると、HPLMNとVPLMNとの間においてVoLTEのローミング協定があるか否かを判定する（S110）。
【００６３】
VoLTEのローミング協定がある場合、HSS100は、UE20の種別が当該VPLMNにおける動作が保証されている移動局の種別か否かを判定する（S120）。具体的には、HSS100は、上述したように、VoLTE機能をサポートしている移動局の形式（機種）や、当該種別の移動局とVPLMNとの接続互換性などを確認する。
【００６４】
動作が保証されている移動局の種別である場合、HSS100は、移動局のユーザの種別（加入者種別）が、VoLTEローミングが許可されている種別であるか否かを判定する（S130）。
【００６５】
VoLTEローミングが許可されている加入者種別である場合、HSS100は、MME300に返送するDia_ULAに含まれるインジケータとして、voice supportedを設定する（S140）。一方、VoLTEのローミング協定がない、動作が保証されている移動局の種別でない、或いはVoLTEローミングが許可されていない加入者種別である場合、HSS100は、MME300に返送するDia_ULAに含まれるインジケータとして、voice not supportedを設定する（S150）。
【００６６】
HSS100は、voice supportedまたはvoice not supportedを含むDia_ULAをMME300に返送する（S160）。
【００６７】
（３．２．２）MME300の動作フロー
図７は、VPLMNに設けられるMME300の動作フローを示す。図７に示すように、MME300は、HSS100からDia_ULAを受信すると、当該Dia_ULAがVoLTEローミングがサポートされているか否かを示すインジケータ（voice supportedまたはvoice not supported）を含んでいるか否かを判定する（S210）。
【００６８】
インジケータを含んでいる場合、MME300は、受信したインジケータの種別に基づいて、UE20に返送するAttach Acceptに含まれるインジケータとして、voice supportedまたはvoice supportedを設定する（S220）。具体的には、MME300は、Dia_ULAにvoice supportedが含まれている場合には、voice supportedを設定し、Dia_ULAにvoice not supportedが含まれている場合には、voice not supportedを設定する。
【００６９】
一方、インジケータを含んでいない場合、MME300は、ローカル（ローミング情報DB350）で保持する情報に基づいて、UE20に返送するAttach Acceptに含まれるインジケータとして、voice supportedまたはvoice supportedを設定する（S230）。
【００７０】
具体的には、MME300は、上述したように、HPLMNに属するUE20のVPLMNへのローミングがサポートされていることがローミング情報DB350によって示されている場合、Attach Acceptにvoice supportedを含めることを決定する。
【００７１】
MME300は、設定したvoice supportedまたはvoice supportedを含むAttach AcceptをUE20に返送する（S240）。
【００７２】
（４）作用・効果
本実施形態によれば、以下の作用効果が得られる。HSS100は、MME300から受信したDia_ULRに基づいて、IMS500経由による音声通信のローミング（VoLTEローミング）が、VPLMNにおいてサポートされているか否かを判定する。また、HSS100は、当該ローミングがサポートされているか否かを示すインジケータ（voice supportedまたはvoice not supported）を含むDia_ULAをMME300に返送する。さらに、MME300は、同様のインジケータを含むAttach AcceptをUE20に返送する。
【００７３】
これにより、UE20は、UE20が在圏するVPLMNにおいて当該ローミングがサポートされているか否かを速やかに判定することができる。このため、当該ローミングがサポートされていないにも関わらず、UE20が当該VPLMNにおいてIMS500経由による音声通信の発信を試みることが防止される。つまり、UE20がVPLMNに接続する場合にIMS500経由の音声通信に失敗することを回避できる。
【００７４】
特に、VoLTEのローミング協定に有無と関係なく、一律にIMS経由の音声通信がサポートされることを通知するVPLMN（オペレータ）が存在する場合でも、上述のような音声通信の失敗を確実に回避できる。
【００７５】
なお、VPLMNにおいてVoLTEローミングが開始される前までは、HPLMNに設けられた、つまり、HPLMNのオペレータによって管理されるMMEによってIMS経由の音声通信の可否が判定されていたため、このような問題は顕在化していなかった。
【００７６】
本実施形態では、HSS100は、HPLMNとVPLMNとの間における音声通信（VoLTE）のローミング協定の有無に基づいて、当該ローミングがサポートされているか否かを判定することができる。これにより、HPLMN側において、ローミング協定が存在することを確認した上で、UE20に当該音声通信を確実に実行させることができる。
【００７７】
本実施形態では、HSS100は、UE20の種別に基づいて、当該ローミングがサポートされているか否かを判定することができる。これにより、HPLMN側において、当該VPLMNに対応可能な移動局の種別を確認した上で、UE20に当該音声通信を確実に実行させることができる。
【００７８】
本実施形態では、HSS100は、UE20のユーザの種別（加入者種別）に基づいて、当該ローミングがサポートされているか否かを判定するができる。これにより、HPLMN側において、当該VPLMNに対応可能な加入者の種別を確認した上で、UE20に当該音声通信を確実に実行させることができる。
【００７９】
［第２実施形態］
次に、本発明の第２実施形態について説明する。本実施形態では、ESM（EPS Session Management）レイヤにおける制御（EPS bearer context）を例として説明する。なお、以下では、上述した第１実施形態と異なる部分について主に説明し、同様の部分については、適宜その説明を省略する。
【００８０】
図８は、UE20に対してローミングがサポートされているか否かを示すインジケータを通知する動作の説明図である。
【００８１】
図８に示すように、本実施形態では、MME300は、UE20からAttach Requestに含まれるPDN connectivity requestに基づいて、GTPv2 Create Session RequestをPGW200に送信する（図８の（２）及び（４））。
【００８２】
GTPv2 Create Session Requestを受信したPGW200は、第１実施形態のHSS100と同様の動作によって、VPLMNにおけるVoLTEローミングの可否を判定する（同（５））。PGW200は、当該ローミングの判定結果に基づいて、UE20に対してVoLTEローミングがサポートされているか否かを示すインジケータ（第１サポート指示子）を設定する。
【００８３】
具体的には、PGW200は、VoLTEローミングがサポートされている場合、当該インジケータとして、“PCO（VoLTE可）”を設定する。なお、PCOは、Protocol Configuration Optionの略である。一方、PGW200は、VoLTEローミングがサポートされていない場合、当該インジケータとして、“PCO（VoLTE不可）”を設定する。図８の例では、“PCO（VoLTE不可）”が設定された例を示している。なお、このようなインジケータは、既存の3GPP TSでは規定されておらず、新規に規定される。
【００８４】
PGW200は、“PCO（VoLTE不可）”を含むGTPv2 Create Session Responseを
MME300に返送する（同（６））。
【００８５】
MME300は、受信したGTPv2 Create Session Responseに含まれるPCOをそのまま透過（転送）し、UE20に返送されるAttach Acceptに含まれるEPS Bearer Context Request（具体的には、Active Default EPS Bearer Context Request）に当該PCO、具体的には、“PCO（VoLTE不可）”（第２サポート指示子）を含める（同（７）及び（８））。
【００８６】
当該PCOを含むAttach Acceptを受信したUE20は、VPLMNのE-UTRAN（LTE）を介したVoLTEが不可能なことを認識する。この結果、UE20は、UTRAN（3G CS）にフォールバック（CSFB）を実行し、MSC30に音声呼の発信を行う（同（９）及び（１０））。
【００８７】
図９は、本実施形態に係るPGW200の機能ブロック構成図である。PGW200は、本実施形態において通信制御装置を構成する。図９に示すように、PGW200は、Session Request受信部210、ローミング判定部220、在圏ネットワークDB231、移動局種別DB233、加入者種別DB235及びSession Response送信部240を備える。
【００８８】
PGW200の機能ブロック構成は、第１実施形態に係るHSS100と概ね同様である。
【００８９】
HSS100との主な相違点は、SGW400を介してMME300からGTPv2 Create Session Requestを受信するSession Request受信部210、及びSGW400を介してMME300にGTPv2 Create Session Responseを送信するSession Response送信部240である。
【００９０】
このように、本実施形態では、ESMレイヤにおける制御（EPS bearer context）によって、PGW200が当該ローミングの可否を判定しているが、第１実施形態と同様の効果を奏し得る。HSS100またはPGW200の何れで当該ローミングの可否を判定するかは、HPLMN及びVPLMNのネットワーク構成などに応じて決定することができる。
【００９１】
［第３実施形態］
次に、本発明の第３実施形態について説明する。本実施形態では、IMS（IP Multimedia Subsystem）レイヤにおける制御（Registration）を例として説明する。なお、以下でも、上述した第１実施形態と異なる部分について主に説明し、同様の部分については、適宜その説明を省略する。
【００９２】
図１０は、UE20に対してローミングがサポートされているか否かを示すインジケータを通知する動作の説明図である。
【００９３】
図１０に示すように、本実施形態では、UE20は、Attach Requestの送信及びAttach Acceptの受信の動作（図１０の（１）〜（４））に引き続いて、IMS500に対して、具体的には、IMS500を構成するSIPサーバ510にSIP_REGSISTERを送信する（同（５））。
【００９４】
SIP_REGSISTERを受信したSIPサーバ510は、第１実施形態のHSS100と同様の動作によって、VPLMNにおけるVoLTEローミングの可否を判定する（同（６））。SIPサーバ510は、当該ローミングの判定結果に基づいて、UE20に対してVoLTEローミングがサポートされているか否かを示すインジケータ（第１サポート指示子）を設定する。
【００９５】
具体的には、SIPサーバ510は、VoLTEローミングがサポートされている場合、当該インジケータを含むSIPメッセージである“SIP 200 OK（VoLTE可）”をUE20に送信する。
【００９６】
一方、SIPサーバ510は、VoLTEローミングがサポートされていない場合、当該インジケータを含むSIPメッセージである、“SIP 200 OK（VoLTE不可）”をUE20に送信する。
【００９７】
図１０の例では、“SIP 200 OK（VoLTE不可）”が送信された例を示している。なお、このようなインジケータは、既存の3GPP TSでは規定されておらず、新規に規定される。
【００９８】
PGW200及びSGW400を介して“SIP 200 OK（VoLTE不可）”を受信したUE20は、VPLMNのE-UTRAN（LTE）を介したVoLTEが不可能なことを認識する。この結果、UE20は、UTRAN（3G CS）にフォールバック（CSFB）を実行し、MSC30に音声呼の発信を行う（同（８）及び（９））。
【００９９】
図１１は、本実施形態に係るSIPサーバ510の機能ブロック構成図である。SIPサーバ510は、本実施形態において通信制御装置を構成する。図１１に示すように、SIPサーバ510は、SIP信号処理部511、ローミング判定部513、在圏ネットワークDB521、移動局種別DB523及び加入者種別DB525を備える。
【０１００】
SIPサーバ510の機能ブロック構成は、第１実施形態に係るHSS100と概ね同様である。HSS100との主な相違点は、SIPメッセージを送受信するSIP信号処理部511である。
【０１０１】
また、SIP信号処理部511は、PGW200及びSGW400を介して、“SIP 200 OK（VoLTE不可）”をUE20に送信する。
【０１０２】
このように、本実施形態では、IMSレイヤにおける制御（Registration）によって、SIPサーバ510が当該ローミングの可否を判定しているが、第１実施形態と同様の効果を奏し得る。HSS100またはSIPサーバ510の何れで当該ローミングの可否を判定するかは、HPLMN、VPLMN及びIMS500のネットワーク構成などに応じて決定することができる。
【０１０３】
［その他の実施形態］
以上、実施形態に沿って本発明の内容を説明したが、本発明はこれらの記載に限定されるものではなく、種々の変形及び改良が可能であることは、当業者には自明である。
【０１０４】
例えば、上述した第１実施形態では、（i）VoLTEのローミング協定、（ii）VPLMNにおける動作が保証されている移動局の種別、及び（iii）ユーザの種別（加入者種別）の全てが満たされる場合に、音声通信が可能なインジケータ（voice supported）を設定していたが、（i）〜（iii）の何れか一つの判定条件に基づいて、当該音声通信がサポートされているか否かを判定してもよい。
【０１０５】
また、第１実施形態〜第３実施形態では、Attach Acceptにvoice supportedまたはvoice not supportedを含めることによって、VPLMNにおけるVoLTEローミングを制御（規制）していたが、このようなAttach Acceptによる制御に代えて、UE20のIMS500への登録であるIMS Registrationを規制することによって、VPLMNにおけるVoLTEローミングを制御してもよい。例えば、第３実施形態の場合、特定のSIPメッセージ（例えば、SIP_4xx、xxは所定の数字が設定される）をUE20に送信することによって、IMS Registrationを規制し、結果的にUE20によるVoLTEローミングを規制してもよい。
【０１０６】
さらに、上述した実施形態において示した動作シーケンスやフローは、矛盾のない限り、順序を入れ替えてもよい。
【０１０７】
また、例えば、第１実施形態であれば、voice supportedのみを送信し、voice supportedが送信されない場合には、VoLTEローミングがサポートされていないことを暗示的に示し、VoLTEローミングがサポートされていないと判定するようにしてもよい。
【０１０８】
上述した実施形態では、LTEを例として説明したが、LTEには、LTE-Advancedも含まれるとともに、LTEのみに限定されるものではない。また、UE20のフォールバック先の無線アクセスネットワークは、UTRANに限られず、GERANなどであってもよい。
【０１０９】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【０１１０】
なお、日本国特許出願第2015-099961号（2015年5月15日出願）の全内容が、参照により、本願明細書に組み込まれている。
【産業上の利用可能性】
【０１１１】
上述した移動通信システム、通信制御装置、移動管理エンティティ及び移動通信方法によれば、移動局がVPLMNに接続する場合にIMS経由の音声通信に失敗することを回避できる。
【符号の説明】
【０１１２】
10  移動通信システム
20  UE
30  MSC
40  CSドメイン
100  HSS
110  Dia_ULR受信部
120  ローミング判定部
131  在圏ネットワークDB
133  移動局種別DB
135  加入者種別DB
140  Dia_ULA送信部
200  PGW
210  Session Request受信部
220  ローミング判定部
231  在圏ネットワークDB
233  移動局種別DB
235  加入者種別DB
240  Session Response送信部
300  MME
310  Attach Request受信部
320  Dia_ULR送信部
330  Dia_ULA受信部
340  インジケータ処理部
350  ローミング情報DB
360  Attach Accept送信部
400  SGW
500  IMS
510  SIPサーバ
511  SIP信号処理部
513  ローミング判定部
521  在圏ネットワークDB
523  移動局種別DB
525  加入者種別DB
【図１】
2016185962.tif 000003
【図２】
2016185962.tif 000004
【図３】
2016185962.tif 000005
【図４】
2016185962.tif 000006
【図５】
2016185962.tif 000007
【図６】
2016185962.tif 000008
【図７】
2016185962.tif 000009
【図８】
2016185962.tif 000010
【図９】
2016185962.tif 000011
【図１０】
2016185962.tif 000012
【図１１】
2016185962.tif 000013
【国際調査報告】
2016185962.tif 000014
2016185962.tif 000015
2016185962.tif 000016
2016185962.tif 000017